(57)【要約】【課題】  ハンマー組立て品の重心が、センターピンに対して左右方向に非対称の場合でも、ハンマーの安定した回動を確保し、適正なピアノ音を発生させることができるアップライトピアノのバットを提供する。【解決手段】  バットフレンジ２５の水平に延びる断面円形のセンターピン２６に支持されたアップライトピアノのバット２０であって、ハンマー１が設けられ、直線状のピン保持溝２８ａを背面に有するバット本体２７と、一方の面に直線状に延びるピン押え溝２９ａを有し、ピン押え溝２９ａがピン保持溝２８ａに対向して延びるバット本体２７の背面に取り付けられた金属プレート２９と、を備え、バットは、センターピン２６を、ピン保持溝２８ａおよびピン押え溝２９ａにそれぞれ係合させるとともにバット本体２７と金属プレート２９の間に挟み付けた状態で、センターピン２６に回動自在に支持されている。【選択図】  図２
2007094152.tif 000002
【特許請求の範囲】
【請求項１】
バットフレンジに水平に設けられた断面円形のセンターピンに支持され、押鍵に伴い、ハンマーを回動させることによって打弦を行わせるアップライトピアノのバットであって、
前記ハンマーが一体に設けられ、直線状のピン保持溝を背面に有するバット本体と、
一方の面に直線状のピン押え溝を有し、当該ピン押え溝が前記ピン保持溝に対向して延びるように前記バット本体の背面に取り付けられた金属プレートと、
を備え、
当該バットは、前記ピン保持溝および前記ピン押え溝が前記センターピンにそれぞれ係合するとともに前記バット本体と前記金属プレートの間に前記センターピンを挟み付けた状態で、前記センターピンに回動自在に支持されていることを特徴とするアップライトピアノのバット。
【請求項２】
前記ピン保持溝および前記ピン押え溝はそれぞれ、その底側に向かうにつれて互いの間隔が狭くなるように傾斜し、前記センターピンが係合する一対の傾斜面を有することを特徴とする請求項１に記載のアップライトピアノのバット。
【請求項３】
前記ピン保持溝は、前記一対の傾斜面にそれぞれ連なるように前記バット本体の背面側に設けられた一対のストッパ面を有し、
当該一対のストッパ面は、前記ピン保持溝の底側に向かうにつれて、互いの間隔が狭くなるとともに、前記バット本体の背面に対して前記傾斜面よりも大きく且つ直角に近い傾斜角度でそれぞれ傾斜していることを特徴とする請求項２に記載のアップライトピアノのバット。
【請求項４】
前記バット本体が、長繊維法で成形され、補強用の長繊維を含有する熱可塑性樹脂の成形品で構成されていることを特徴とする請求項１ないし３のいずれかに記載のアップライトピアノのバット。
【請求項５】
前記長繊維は、炭素繊維であることを特徴とする請求項４に記載のアップライトピアノのバット。
【請求項６】
前記熱可塑性樹脂は、ＡＢＳ樹脂であることを特徴とする請求項４または５に記載のアップライトピアノのバット。
【発明の詳細な説明】
【技術分野】
【０００１】
バットフレンジに設けられたセンターピンに支持され、押鍵に伴い、ハンマーを回動させることによって打弦を行わせるアップライトピアノのバットに関する。
【背景技術】
【０００２】
従来のアップライトピアノのバットとして、例えば特許文献１に開示されたものが知られている。このバットは、一般的な構成のものであり、鍵ごとに設けられていて、ハンマーヘッドを上端部に有するハンマー、およびキャッチャーなどが取り付け設けられている（以下、バット、ハンマーおよびキャッチャーを総称する場合には「ハンマー組立て品」という）。このバットは、その下端部において、バットフレンジのセンターピンに回動自在に支持されている。
【０００３】
バットフレンジは、左右の両端部からそれぞれ上方に突出するバット支持部を有しており、センターピンは、左右のバット支持部の間に水平に延びている。また、バットとして、バット本体にバットプレートを取り付けたものが知られている。そのようなバットでは、バット本体は例えばＡＢＳ樹脂で構成され、その下端部の左右方向の幅は、他の部分よりも薄く形成されており、この下端部の背面には、左右方向に延びる断面Ｖ字形の溝が形成されている。バットプレートは、この溝がセンターピンに係合するとともにセンターピンをバット本体との間に挟み付けた状態で取り付けられている。この状態では、バットは、バット本体の溝の上下の壁面の２点、およびバットプレートの前面の１点の計３点でセンターピンに係合している。それにより、バットを含むハンマー組立て品は、センターピンに回動自在に支持されており、押鍵に伴い、アクションのジャックによりバット本体の下面が突き上げられることによって、センターピンを中心として回動する。そして、ハンマーが後方の弦を打弦し、振動させることによってピアノ音が発生する。
【０００４】
しかし、上述した従来のバットには、以下のような問題がある。すなわち、アップライトピアノでは、アクションやフレームなどの構成上、特に低音部において、バットの回動の支点に対し、ハンマーが左右方向に非対称の状態でバットに設けられることがあり、その場合、ハンマー組立て品は、その重心が、支点に対して左右方向にずれた状態で配置される。その場合、図６の矢印Ｍ１または矢印Ｍ２に示すように、回動の際に、センターピン付近を中心として、ハンマーが左右方向にぶれるようなモーメントが生じる。それにより、バット本体の溝の両端部から、センターピンの左右の端部に、互いに逆方向の荷重がそれぞれ集中的に作用する。このため、同図の矢印ｍ１または矢印ｍ２に示すように、溝の両端部には、センターピンからの反力として過大な荷重が作用するので、センターピンが溝の壁面に沿って溝の外方に相対的に移動する結果、ハンマー組立て品に左右方向のぶれが発生し、ハンマー組立て品が安定して回動することができない。また、このようなぶれが生じる結果、溝が変形し、センターピンと溝の間に隙間が生じることがある。その場合には、ハンマー組立て品にがたつきが発生することによって、やはりハンマー組立て品の安定した回動が損なわれ、ハンマーヘッドの適正な打弦位置で弦を打弦できず、適正なピアノ音を発生させることができないおそれがある。
【０００５】
また、アップライトピアノの従来の他のバットとして、その下端部の溝を、断面半円形に形成したものも知られている。センターピンは、この溝の壁面全体に接触した状態で、バットプレートとバット本体の間に挟み付けられている。この構成では、ハンマー組立て品の重心が左右方向にずれている場合でも、溝の壁面全体でセンターピンからの反力をバランス良く支持することができ、溝の変形を防止することができる。
【０００６】
しかし、センターピンの径にばらつきがある場合、その径が小さいときには、溝とセンターピンの間に隙間が生じ、径が大きいときには、センターピンを溝の内部に係合させることができなくなるなど、通常想定される程度の径のばらつきでも、安定面においてむしろ好ましくない状態を生み出すおそれがある。
【０００７】
本発明は、上記のような課題を解決するためになされたものであり、ハンマー組立て品の重心が、センターピンに対して左右方向に非対称の場合でも、ハンマーの安定した回動を確保し、適正なピアノ音を発生させることができるアップライトピアノのバットを提供することを目的としている。
【０００８】
【特許文献１】特開平６−２７９３４号公報
【発明の開示】
【課題を解決するための手段】
【０００９】
上記の目的を達成するために、本発明の請求項１に係る発明は、バットフレンジに水平に設けられた断面円形のセンターピンに支持され、押鍵に伴い、ハンマーを回動させることによって打弦を行わせるアップライトピアノのバットであって、記ハンマーが一体に設けられ、直線状のピン保持溝を背面に有するバット本体と、一方の面に直線状のピン押え溝を有し、ピン押え溝が前記ピン保持溝に対向して延びるようにバット本体の背面に取り付けられた金属プレートと、を備え、バットは、ピン保持溝およびピン押え溝がセンターピンにそれぞれ係合するとともにバット本体と金属プレートの間にセンターピンを挟み付けた状態で、センターピンに回動自在に支持されていることを特徴とする。
【００１０】
このアップライトピアノのバットは、バットフレンジのセンターピンに支持されており、バット本体、およびバット本体に取り付けられた金属プレートを有している。バット本体の背面には、直線状に延びるピン保持溝が形成されており、金属プレートは、ピン保持溝に対向して延びるピン押え溝を有している。センターピンは、このようなピン保持溝およびピン押え溝の双方に係合した状態で、バット本体および金属プレートに挟み付けられており、それにより、バットは、センターピンに回動自在に支持されている。押鍵時には、バットは、センターピンを中心として回動し、それに伴いハンマーを回動させ、打弦を行わせることによって、ピアノ音が発生する。
【００１１】
以上のように、バットを支持するセンターピンは、バット本体とこれに取り付けられた金属プレートとの間に挟み付けられ、バット本体のピン保持溝に係合しているだけでなく、さらに金属プレートに形成されたピン押え溝にも係合している。このため、ハンマーの回動に伴い、バット本体がセンターピンから上下方向にずれようとしても、センターピンに係合するピン押え溝の壁面にセンターピンが当接することによって、バット本体の移動が阻止される。したがって、センターピンに対してバットをずれにくくすることができ、センターピンでバットおよびハンマーを安定して支持することができる。
【００１２】
特に、センターピンに対して重心が左右方向に非対称の状態で設けられたハンマーが回動する場合（以下、このようなハンマーの回動を「偏心回動」という）、センターピンの両端部に集中的に荷重が作用することによって、センターピンがピン保持溝の外方に相対的に移動しようとしても、ピン押え溝によって、その移動を阻止することができる。このように、センターピンの移動が阻止される結果、ピン保持溝およびピン押え溝の変形を抑制でき、バットおよびハンマーのがたつきを抑制することができる。以上により、ハンマーの安定した回動を確保でき、ハンマーによる打弦を適切に行わせることができる。
【００１３】
請求項２に係る発明は、請求項１に記載のアップライトピアノのバットにおいて、ピン保持溝およびピン押え溝はそれぞれ、その底側に向かうにつれて互いの間隔が狭くなるように傾斜し、センターピンが係合する一対の傾斜面を有することを特徴とする。
【００１４】
この構成によれば、バット本体のピン保持溝、および金属プレートのピン押え溝は、それぞれ一対の傾斜面を有している。これらの一対の傾斜面はそれぞれ、溝の底側に向かうにつれて互いの間隔が狭くなるように傾斜しており、センターピンは、これら一対の傾斜面のそれぞれに係合している。すなわち、センターピンは、その断面においてバット本体および金属プレートに円周方向の４点で遊びなく係合しており、それにより、バットおよびハンマーを、センターピンでより安定して支持することができる。
【００１５】
また、ハンマーが偏心回動する際、センターピンは、ピン保持溝の一方の傾斜面に沿って外方に向かって相対的に移動しようとする。本発明では、ピン保持溝の一方の傾斜面に対向するように、金属プレートのピン押え溝の一方の傾斜面が設けられているので、この一方の傾斜面でセンターピンを押え付けることによって、その相対的な移動を効果的に阻止することができる。したがって、ハンマーをより安定して回動させることができる。また、各溝の一対の傾斜面の互いの間隔が底側に向かって狭くなっているので、センターピンの径がばらついている場合でも、センターピンを、両溝の各傾斜面に確実に係合させることができ、それにより、上述した作用を確実に得ることができる。
【００１６】
請求項３に係る発明は、請求項２に記載のアップライトピアノのバットにおいて、ピン保持溝は、前記一対の傾斜面にそれぞれ連なるようにバット本体の背面側に設けられた一対のストッパ面を有し、一対のストッパ面は、ピン保持溝の底側に向かうにつれて、互いの間隔が狭くなるとともに、バット本体の背面に対して傾斜面よりも大きく且つ直角に近い傾斜角度でそれぞれ傾斜していることを特徴とする。
【００１７】
この構成によれば、ハンマーが偏心回動するのに伴い、センターピンが、前述したように傾斜面に沿ってピン保持溝の外方に向かって相対的に移動しようとする場合、ストッパ面がバット本体の背面に対して傾斜面よりも直角に近い角度で傾斜しているので、センターピンがストッパ面に沿って外方へ移動しようとする力は、傾斜面に沿って移動するときよりも小さくなる。その結果、センターピンの相対的な移動を、さらに効果的に阻止でき、ハンマーをさらに安定して回動させることができる。また、センターピンからピン保持溝の壁面に作用する荷重が、傾斜面およびストッパ面に分散されるので、ピン保持溝の変形をさらに効果的に抑制することができ、バットおよびハンマーのがたつきをさらに抑制することができる。
【００１８】
請求項４に係る発明は、請求項１ないし３のいずれかに記載のアップライトピアノのバットにおいて、バット本体が、長繊維法で成形され、補強用の長繊維を含有する熱可塑性樹脂の成形品で構成されていることを特徴とする。
【００１９】
このような構成によれば、バット本体は、長繊維法で成形された、補強用の長繊維を含有する熱可塑性樹脂の成形品で構成されている。ここで、長繊維法とは、熱可塑性樹脂で被覆した同じ長さの繊維状の強化材を含むペレットを射出成形することによって、成形品を得るものである。この長繊維法によれば、成形品中に、例えば、０．５ｍｍ以上の長さを有する比較的長い繊維状の強化材が含有される。このように、本発明のバットは、比較的長い補強用の長繊維を含有するので、合成樹脂で構成したバットと比較して、非常に高い剛性を得ることができる。それにより、ハンマーが偏心回動した場合でも、バット本体の形状を保持することができ、したがって、より安定した回動を確保することができる。また、熱可塑性樹脂によってバット本体を構成するので、加工精度および寸法安定性が高いという合成樹脂の利点を得ることができる。
【００２０】
請求項５に係る発明は、請求項４に記載のアップライトピアノのバットにおいて、長繊維は、炭素繊維であることを特徴とする。
【００２１】
この構成によれば、長繊維として炭素繊維が用いられていることにより、バット本体の硬度を、例えばＡＢＳ樹脂で構成されたバット本体よりも向上させることができる。それにより、ハンマーが偏心回動した場合でも、センターピンからの反力によるピン保持溝の変形をさらに抑制でき、バットおよびハンマーのがたつきを、より一層、抑制することができる。
【００２２】
また、バットの可動部分にほこりが付着すると、その動きが鈍くなり、それにより、ハンマーの応答性が低下するおそれがある。一般に、炭素繊維は、他の補強用の長繊維、例えばガラス繊維よりも導電性が高い。したがって、上記のように、そのような炭素繊維を、バット本体を構成する熱可塑性樹脂に含有した補強用の長繊維として用いることによって、バット本体の導電性を高め、その帯電性を低減することができる。それにより、バット本体にほこりが付着するのを抑制することができるので、バットおよびハンマーの動きおよび応答性を良好に保つことができる。また、バット本体へのほこりの付着の抑制により、バットの外観を良好に保つことができるとともに、バットの調整作業などの際に、作業者の手や服が汚れるのを抑制することができる。
【００２３】
請求項６に係る発明は、請求項４または５に記載のアップライトピアノのバットにおいて、熱可塑性樹脂は、ＡＢＳ樹脂であることを特徴とする。
【００２４】
ＡＢＳ樹脂は、熱可塑性樹脂の中でも高い接着性を有する。したがって、バット本体を構成する熱可塑性樹脂としてＡＢＳ樹脂を用いることによって、バットにハンマーの部品を接着剤で容易に接着でき、その組立て性を向上させることができる。
【００２５】
また、一般に、炭素繊維などの強化材を含有した熱可塑性樹脂を射出成形する場合、そのメルトフローレートが大きいと、熱可塑性樹脂の金型内への流入速度が大きくなるために、強化材が成形品中に特定の方向に並びやすいことで、成形品の剛性に異方性が生じやすい。また、ＡＢＳ樹脂は、ゴム状重合体を含む熱可塑性樹脂であり、そのメルトフローレートは小さい。従って、バット本体を前述したようにＡＢＳ樹脂で構成することによって、バット本体の異方性を抑制できるので、高い剛性を安定して得ることができる。さらに、ＡＢＳ樹脂が持つ延性によって、バットの衝撃強度を高めることができる。
【発明を実施するための最良の形態】
【００２６】
以下、本発明の好ましい実施形態を、図面を参照しながら詳細に説明する。図１は、本発明の実施形態によるアップライトピアノのバット２０を適用したアクション３を、ハンマー１や鍵盤２などとともに、離鍵状態において示している。なお、以下の説明では、演奏者側から見たときのアップライトピアノの手前側を「前」、奥側を「後」として説明する。
【００２７】
鍵盤２は、左右方向（図１の奥行方向）に並んだ多数の鍵２ａ（１つのみ図示）によって構成されている。各鍵２ａは、前後方向（図１の左右方向）のほぼ中央において、筬５に立設されたバランスピン５ａに回動自在に支持されている。
【００２８】
アクション３は、鍵盤２の後端部の上方において、筬５の左右端部にそれぞれ設けたブラケット（図示せず）に取り付けられ、両ブラケットの間に設けられている。アクション３は、ウィッペン６、ジャック７および前記バット２０などを有しており、これらは、鍵２ａごとに設けられている（いずれも１つのみ図示）。左右のブラケットの間には、センターレール１６およびハンマーレール１７などが渡されており、このセンターレール１６に、ウィッペンフレンジ１２およびバットフレンジ２５が鍵２ａごとにねじ止めされている（ともに１つのみ図示）。ウィッペン６は、その後端部において、ウィッペンフレンジ１２に回動自在に支持されている。
【００２９】
ウィッペン６は、例えば、ＡＢＳ樹脂などの合成樹脂や木材によって所定の形状に形成されており、その前部から下方に突出するヒール部６ａを有していて、対応する鍵２ａの上面後端部に設けたキャプスタンボタン２ｂに、ヒール部６ａを介して載置されている。また、ウィッペン６の上面前端部には、バックチェックワイヤ９ａが立設されており、その先端部にバックチェック９が取り付けられている。また、ウィッペン６の上面後端部には、ダンパー３０を駆動するためのスプーン１１が立設されている。また、このスプーン１１のすぐ前方には、前述したウィッペンフレンジ１２が配置されている。
【００３０】
ジャック７は、例えば、合成樹脂または木材により構成されており、Ｌ字形に成形されている。ジャック７は、前後方向に延びる基部７ａと、基部７ａの後端部から上方に延びるハンマー突上げ部７ｂを有している。このようなジャック７は、その基部７ａとハンマー突上げ部７ｂとの角部において、ウィッペン６のバックチェックワイヤ９ａよりも後方の位置に、回動自在に支持されている。また、基部７ａとウィッペン６の間には、ジャックスプリング１０が取り付けられている。
【００３１】
ジャック７の基部７ａの上方には、レギュレティングボタン１３が設けられている。このレギュレティングボタン１３は、センターレール１６に設けられた複数のレギュレティングブラケット１４（１つのみ図示）と、その前端部に取り付けられ、左右方向に延びるレギュレティングレール１５とを介して、鍵２ａごとに設けられている（１つのみ図示）。
【００３２】
センターレール１６にねじ止めされたバットフレンジ２５は、例えば合成樹脂によってブロック状に形成されており、左右の両端部から、ハンマー支持部２５ａ,２５ａが上方にそれぞれ突出している（１つのみ図示）。これらのハンマー支持部２５ａ,２５ａの間には、左右方向に水平に延びるように、断面円形のセンターピン２６が設けられている。
【００３３】
バット２０は、バットフレンジ２５に支持されており、バット２０には、ハンマー１およびキャッチャー２３が一体に設けられている（以下、バット２０、ハンマー１およびキャッチャー２３を総称する場合には「ハンマー組立て品Ａ」という）。図２および図３に示すように、バット２０は、バット本体２７およびその背面に取り付けられた金属プレート２９を有している。バット本体２７は、従来のバット本体と基本的に同じ形状およびサイズを有している。また、バット本体２７は、長繊維法で形成されていて、以下に述べるようなペレットを用いて、射出成形によって成形されている。このペレットは、炭素繊維で構成されたロービングを、所定の張力を加えた状態で揃えながら、ゴム状重合体を含む熱可塑性樹脂である、例えばＡＢＳ樹脂を押出機で押し出したもので被覆することによって成形される。これにより、ペレットの成形時に、炭素繊維のロービングを折ることなく、ペレットに含有させることができるので、ペレットには、それと等しい長さの炭素繊維が含有される。本実施形態では、ペレットの長さは、５〜１５ｍｍに設定されており、それにより、このペレットを用いて射出成形されたダンパーレバー３２には、０．５〜２ｍｍの長さの炭素繊維が含有される。なお、上記のゴム状重合体のメルトフローレートは、比較的小さな値に設定されており、例えば２３０℃、２．１２ｋｇ荷重の試験条件で０．１〜５０ｇ／１０分の範囲に設定されている。
【００３４】
また、バット本体２７は、下端部にピン取付け部２８を有しており、その背面には、バット２０をバットフレンジ２５のセンターピン２６に取り付けるためのピン保持溝２８ａが形成されている。このピン保持溝２８ａは、背面の左右方向にわたって直線状に水平に延びている。また、ピン保持溝２８ａは、上下の一対の壁面２８ｂ，２８ｂによって、断面Ｖ字形に形成されており、両傾斜面２８ｂ，２８ｂは、その間隔が、ピン保持溝２８ａの底側に向かうにつれて狭くなっているとともに、ピン取付け部２８の背面に対して互いに同じ所定の角度で傾斜している。
【００３５】
金属プレート２９の上部にはねじ孔２９ｃが形成されており、金属プレート２９は、このねじ孔２９ｃに通されたねじ２４によって、ピン取付け部２８の背面にこれを覆うように着脱自在に取り付けられている。また、金属プレート２９は、ピン取付け部２８とほぼ同じ左右方向の幅を有するとともに、所定の厚さを有している。この金属プレート２９の前面のねじ孔２９ｃよりも下方には、ピン押え溝２９ａが左右方向にわたって形成されている。このピン押え溝２９ａは、ピン取付け部２８のピン保持溝２８ａに後方から対向するように水平に延びている。また、ピン押え溝２９ａは、断面が台形状に形成されており、上下一対の傾斜面２９ｂ,２９ｂを有している。これらの傾斜面２９ｂ，２９ｂは、間隔がピン押え溝２９ａの底側に向かうにつれて狭くなっており、金属プレート２９の前面に対して互いに同じ所定の角度で傾斜している。また、ピン保持溝２８ａの上側の傾斜面２８ｂとピン押え溝２９ａの上側の傾斜面２９ｂとが、互いに直角に近い関係になっており、同様に、ピン保持溝２８ａの下側の傾斜面２８ｂとピン押え溝２９ａの下側の傾斜面２９ｂとが、互いに直角に近い関係になっている。
【００３６】
以上のような金属プレート２９は、バットフレンジ２５のセンターピン２６をピン取付け部２８との間に挟み付け、ピン取付け部２８との間に若干の間隙を隔てた状態で、バット本体２７にねじ２４によって取り付けられている。具体的には、センターピン２６の前半部が、ピン保持溝２８ａに収容されるとともに、円周方向の２点において、ピン保持溝２８ａの傾斜面２８ｂ，２８ｂに係合している。また、センターピン２６の後端部が、ピン押え溝２９ａに収容されるとともに、円周方向の２点において、傾斜面２９ｂ，２９ｂに係合している。以上により、バット２０は、センターピン２６の円周方向の４点に遊びなく係合した状態で、センターピン２６に支持されている。
【００３７】
また、ハンマー１は、バット本体２７に立設され、上下方向に延びるハンマーシャンク２２ａ、およびハンマーシャンク２２ａの上端部に設けられたハンマーヘッド２２を有している。ハンマーヘッド２２は、後方に鉛直に張られた弦Ｓに対向しており、ハンマー１の回動に伴い、ハンマーヘッド２２の左右方向の中心で弦Ｓを打弦するようになっている。
【００３８】
また、バット本体２７には、その前面から斜め下方に延びるキャッチャーシャンク２３ａが設けられており、このキャッチャーシャンク２３ａの前端部にキャッチャー２３が設けられていて、前方のバックチェック９に対向している。また、バット本体２７とバットフレンジ２５の間には、バットスプリング２０ａが設けられており、これにより、バット２０を含むハンマー組立て品Ａが、図１の時計方向に付勢されている。離鍵状態においては、ハンマー組立て品Ａは、ジャック７のハンマー突上げ部７ｂが、バット本体２７の下面の前端部で構成される被突上げ部２７ａに下方から係合した状態で、静止している。  
【００３９】
また、アクション３の後方には、ダンパー３０が鍵２ａごとに設けられている（１つのみ図示）。ダンパー３０は、センターレール１６にねじ止めされたダンパーレバーフレンジ３１に回動自在に取り付けられたダンパーレバー３２と、ダンパーレバー３２に立設されたダンパーワイヤ３３と、ダンパーワイヤ３３の上端部に設けられたダンパーヘッド３４と、ダンパーレバー３２を弦Ｓ側に付勢するダンパーレバースプリング３５などを備えている。このダンパー１は、離鍵状態においては、ダンパーレバースプリング３５の付勢力により、ダンパーヘッド３４が後方の弦Ｓに前方から当接し、これを押圧している。
【００４０】
以下、上述したアクション３やハンマー１などの押鍵の開始から終了までの一連の動作について説明する。演奏者により、図１の離鍵状態から鍵２ａが押鍵されると、鍵２ａは、バランスピン５ａを中心として図１の時計方向に回動し、その後端部に載置されたウィッペン６は、鍵２ａによって突き上げられることにより、上方（反時計方向）に回動する。このウィッペン６の回動に伴い、ウィッペン６に設けられたジャック７、バックチェック９およびスプーン１１などが一緒に移動し、バット２０がジャック７のハンマー突上げ部７ｂによって突き上げられる。それにより、ハンマー組立て品Ａは、バット本体２７のピン保持溝２８ａおよび金属プレート２９のピン押え溝２９ａの各傾斜面２８ｂ，２９ｂがセンターピン２６の周面を摺動しながら、センターピン２６を中心として、後方の弦Ｓに向かって反時計方向に回動する。
【００４１】
押鍵開始後、ウィッペン６が所定の角度まで回動すると、ウィッペン６の後端部に設けたスプーン１１が、ダンパーレバー３２の下端部に当接し、押圧することによって、ダンパーレバー３２を、ダンパーレバースプリング３５の付勢力に抗して時計方向に回動させる。これにより、ダンパーヘッド３４が弦Ｓから離れ、弦Ｓが振動可能な状態になる。
【００４２】
ウィッペン６がさらに所定の角度まで回動すると、ジャック７の基部７ａの前端部が、レギュレティングボタン１３に下方から当接する。それにより、ジャック７は、上方への移動が規制されることによって、ウィッペン６に対し、ジャックスプリング１０の付勢力に抗して、時計方向に回動し、そのハンマー突上げ部７ｂがバット２０から前方に外れ（レットオフ）、バット２０から離脱する。ハンマー組立て品Ａは、ジャック７がバット２０から離脱した後も慣性によって回動し、ハンマーヘッド２２が弦Ｓを打弦し、振動させることによってピアノ音を発生させる。そして、ハンマー組立て品Ａは、弦Ｓの反発力によって、時計方向への復帰回動を開始する。押鍵が終了し、鍵２ａが離鍵されると、それに伴い、鍵２ａおよびアクション３などは、押鍵時とは逆方向に復帰回動し、図１に示す離鍵状態に復帰することによって、押鍵の開始から終了までの一連の動作が終了する。
【００４３】
以上のような押鍵に伴うハンマー組立て品Ａの回動の際、特に、ジャック７によって突き上げられたとき、およびハンマーヘッド２２が弦７を打弦したときなど、ハンマー組立て品Ａの動作が急激に変化したときには、バット２０からこれを支持するセンターピン２６に対して大きな荷重が作用する。この荷重により、バット２０は、センターピン２６に対して相対的に上下方向に移動しようとする。すなわち、センターピン２６側から見た場合、センターピン２６は、ピン保持溝２８ａの傾斜面２８ｂに沿って、ピン保持溝２８ａの外方に移動しようとする。この場合、そのピン保持溝２８ａの一方の傾斜面２８ｂに対抗するピン押え溝２９ａの一方の傾斜面２９ｂが、直角に近い関係になっており、その傾斜面２８ａ、すなわち、センターピン２６の移動方向に対して直角に近い角度で延びているので、傾斜面２９ｂで、センターピン２６を押え付けることによって、センターピン２６の相対的な移動を効果的に阻止することができる。
【００４４】
また、ハンマー１が偏心回動することによって、ハンマーヘッド２２が左右方向にぶれるようなモーメントが発生する場合も同様である。すなわち、この場合は、ピン保持溝２８ａの上下の傾斜面２８ｂ，２８ｂからセンターピン２６の左右の端部に、互いに逆方向のより大きな荷重が集中的に作用する。このため、センターピン２６は、その両端部において、互いに逆方向にピン保持溝２８ａの外方に移動しようとする。このような場合においても、金属プレート２９のピン押え溝２９ａが、その上下の傾斜面２９ｂ，２９ｂにより、センターピン２６の両端部を互いに逆方向に押え付けることによって、センターピン２６の移動を効果的に阻止することができる。
【００４５】
以上のように、バット２０を支持するセンターピン２６は、バット本体とこれに取り付けられた金属プレートとの間に挟み付けられ、バット本体２７のピン保持溝２８ａに係合しているだけでなく、さらに金属プレート２９に形成されたピン押え溝２９ａにも係合している。このため、ハンマー１の回動に伴い、バット本体２７がセンターピン２６から上下方向にずれようとしても、センターピン２６がこれに係合するピン押え溝２９ａの傾斜面２９ｂに当接することによって、バット本体２７の移動を阻止する。したがって、センターピン２６に対してバット２０をずれにくくすることができ、センターピン２６でバット２０およびハンマー１を安定して支持することができる。
【００４６】
特に、ハンマー１が偏心回動する場合に、センターピン２６の両端部に集中的に荷重が作用することによって、センターピン２６がピン保持溝２８ａの外方に相対的に移動しようとしても、ピン押え溝２９ａによって、やはりその移動を阻止することができる。このように、センターピン２６の移動が阻止される結果、ピン保持溝２８ａおよびピン押え溝２９ａの変形を抑制でき、バット２０およびハンマー１のがたつきを抑制することができる。以上により、ハンマー１の安定した回動を確保でき、ハンマー１による打弦を適切に行わせることができる。
【００４７】
また、ピン保持溝２８ａおよびピン押え溝２９ａの一対の傾斜面２８ｂ，２８ｂおよび２９ｂ，２９ｂは、それぞれ溝の底側に向かうにつれて互いの間隔が狭くなるように傾斜しており、センターピン２６は、これらの一対の傾斜面２８ｂ，２８ｂおよび２９ｂ，２９ｂのそれぞれに係合している。すなわち、センターピン２６は、その断面においてバット本体２７および金属プレート２９に円周方向の４点で遊びなく係合しており、それにより、バット２０およびハンマー１を、センターピン２６でより安定して支持することができる。
【００４８】
また、本発明では、ピン保持溝２８ａの一方の傾斜面２８ｂに対向するように、金属プレート２９のピン押え溝２９ａの一方の傾斜面２９ｂが設けられているので、ハンマー１が偏心回動する場合に、センターピン２６が、ピン保持溝２８ａの一方の傾斜面２８ｂに沿って外方に向かって相対的に移動しようとしても、一方の傾斜面２９ｂでセンターピン２６を押え付けることによって、その相対的な移動を効果的に阻止することができる。したがって、ハンマー１をより安定して回動させることができる。また、各溝２８ａ，２９ａの一対の傾斜面２８ｂ，２８ｂおよび２９ｂ，２９ｂの互いの間隔が底側に向かって狭くなっているので、センターピン２６の径がばらついている場合でも、センターピン２６を、両溝２８ａ，２９ａの各傾斜面２８ｂ，２９ｂに確実に係合させることができ、それにより、上述した効果を確実に得ることができる。
【００４９】
また、バット本体２７が、炭素繊維を含有する熱可塑性樹脂の成形品で構成され、従来のＡＢＳ樹脂製のバット本体２７よりもより高い剛性を有していることにより、ハンマー１が偏心回動した場合でも、バット本体２７の形状を保持することができ、したがって、より安定した回動を確保することができる。また、熱可塑性樹脂によってバット本体２７を構成するので、加工精度および寸法安定性が高いという合成樹脂の利点を得ることができる。
【００５０】
また、炭素繊維を、バット本体２７を構成する熱可塑性樹脂に含有した補強用の長繊維として用いていることによって、バット本体２７の導電性が高められ、その帯電性を低減されている。それにより、バット本体２７にほこりが付着するのを抑制することができるので、ハンマー組立て品Ａの動きおよびその応答性を良好に保つことができる。また、バット本体２７へのほこりの付着の抑制により、バット本体２７の外観を良好に保つことができるとともに、ハンマー組立て品Ａの調整作業などの際に、作業者の手や服が汚れるのを抑制することができる。
【００５１】
また、バット本体２７を構成する熱可塑性樹脂として、熱可塑性樹脂の中でも高い接着性を有するＡＢＳ樹脂を用いているので、バット本体２７にハンマーシャンク２２ａやキャッチャーシャンク２３ａなどを接着剤で容易に接着でき、ハンマー組立て品Ａの組立て性を向上させることができる。
【００５２】
また、ＡＢＳ樹脂は、ゴム状重合体を含む熱可塑性樹脂であり、そのメルトフローレートは小さい。したがって、バット本体２７の異方性を抑制できるので、高い剛性を安定して得ることができる。さらに、ＡＢＳ樹脂が持つ延性によって、バット本体２７の衝撃強度を高めることができる。
【００５３】
図５は、本実施形態のバット本体２７の硬度を確認するために行ったロックウェル硬度試験の結果を、比較例とともに示したものである。この試験では、本実施形態のバット本体２７を構成する、炭素繊維を含有するＡＢＳ樹脂の成形品で構成した試料（「実施例」と図示）と、比較例として、従来のバット本体を構成するＡＢＳ樹脂で成形品で構成した試料（「比較例」と図示）とを用いて行った。測定の結果、比較例のロックウェル硬度を１００とすると、実施例のロックウェル硬度は、１２８．３であり、実施形態のバット本体２７は、従来のバット本体よりも、ピン保持溝２８ａが変形しにくくなっていることが確認された。
【００５４】
次いで、上述した実施形態のバット２０の変形例について説明する。この変形例は、実施形態のバット２０と比較して、バット本体２７のピン保持溝の断面形状のみが異なっている。
【００５５】
すなわち、前述した実施形態のピン保持溝２８ａが、上下の傾斜面２８ｂ，２８ｂによりＶ字形の断面形状を有するのに対し、図４に示すように、この変形例のピン保持溝４８ａは、断面六角形に形成されている。具体的には、このピン保持溝４８ａは、ピン取付け部２８の背面と平行に延びる底面４８ｄと、その上下の両端からピン取付け部２８の背面に向かって傾斜して延びる一対の傾斜面４８ｂ，４８ｂと、それらに連なるピン取付け部２８の背面側の一対のストッパ面４８ｃ，４８ｃとによって構成されている。また、傾斜面４８ｂの、ピン取付け部２８の背面に対する傾斜角度は、実施形態の傾斜面２８ｂと同じであり、ストッパ面４８ｃは、ピン取付け部２８の背面に対し、傾斜面４８ａよりも大きく且つ直角に近い角度で傾斜している。
【００５６】
センターピン２６は、その前半部が、ピン保持溝４８ａに収容されており、一対の傾斜面４８ｂ，４８ｂに係合している。バット２０の他の部分の構成は、前述した実施形態と同様である。
【００５７】
この構成によれば、ハンマー組立て品Ａが回動または偏心回動するのに伴い、実施形態と同様に、センターピン２６が、傾斜面４８ｂに沿って上下方向に相対的に移動する。センターピン２６側から見た場合、センターピン２６は、傾斜面４８ｂに沿ってピン保持溝４８ａの外方に移動する途中で、ピン取付け部２８の背面側のストッパ面４８ｃに当接する。このピンストッパ面４８ｃは、バット本体２７の背面に対し、傾斜面４８ｂよりも大きく且つ直角に近い角度で傾斜しているので、センターピン２６が外方へ移動しようとする力は、傾斜面４８ｂに沿って外方に移動しようとする力よりも小さくなる。その結果、センターピン２６の相対的な移動が効果的に阻止される。
【００５８】
以上のように、本変形例のバット２０では、センターピン２６が、傾斜面４８ｃに沿ってピン保持溝４８ａの外方に向かって相対的に移動しようしても、ストッパ面４８ｃが、ピン取付け部２８の背面に対して傾斜面４８ｂよりも直角に近い角度で傾斜しているので、センターピン２６の移動は、このストッパ面４８ｃ、およびピン押え溝２９の傾斜面２９ｂの双方によって阻止される。その結果、センターピン２６は、ピン保持溝４８ａの傾斜面４８ｂならびにストッパ面４８ｃ、およびピン押え溝２９ａの傾斜面２９ｂに係合した状態に維持される。したがって、ハンマー組立て品Ａを、さらに安定して回動させることができる。
【００５９】
なお、本発明は、説明した実施形態に限定されることなく、種々の態様で実施することができる。例えば、上述した変形例では、センターピン２６は、円周方向の４点でバット本体２７および金属プレートに接触した状態で、ハンマー組立て品Ａを支持しているが、これに限定されない。例えば、センターピン２６、ピン保持溝４８ａおよびピン押え溝２９ａをより精度良く形成し、センターピン２６を、各傾斜面４８ｂ，２９ｂに加え、バット本体２７および金属プレート２９の各溝の一方または両方の底面にも係合させるようにしてもよい。それにより、センターピン２６からの反力を、より分散して支持することができ、ハンマー組立て品Ａの取付けおよび回動を、さらに安定して行うことができる。その他、細部の構成を、本発明の趣旨の範囲内で適宜、変更することが可能である。
【図面の簡単な説明】
【００６０】
【図１】本発明の実施形態によるバットを適用したアップライトピアノのアクション、鍵盤およびハンマーなどを、離鍵状態において示す側面図である。
【図２】図１のバットフレンジ、およびそのセンターピンに支持されたバットを示す部分拡大側面図である。
【図３】図２のバット本体のピン保持溝と金属プレートのピン押え溝を、これらに係合するセンターピンとともに示す部分拡大側面図である。
【図４】本発明の変形例によるバット本体のピン保持溝と金属プレートのピン押え溝を、これらに係合するセンターピンとともに示す部分拡大側面図である。
【図５】本実施形態のバット本体に用いる材料の硬度試験結果を、比較例とともに示す図である。
【図６】従来のハンマー組立て品の正面図であり、ハンマーが偏心回動する際のハンマーのぶれの方向Ｍ１およびＭ２と、これらにそれぞれ対応する、バットの溝に作用するセンターピンからの反力の作用方向ｍ１およびｍ２を示す図である。
【符号の説明】
【００６１】
１    ハンマー
２ａ  鍵
２０    バット
２５    バットフレンジ
２６    センターピン
２７    バット本体
２８ａ  ピン保持溝
２８ｂ  傾斜面
２９    金属プレート
２９ａ  ピン押え溝
２９ｂ  傾斜面
４８ａ  ピン保持溝
４８ｂ  傾斜面
４８ｃ  ストッパ面
【図１】
2007094152.tif 000003
【図２】
2007094152.tif 000004
【図３】
2007094152.tif 000005
【図４】
2007094152.tif 000006
【図５】
2007094152.tif 000007
【図６】
2007094152.tif 000008